(57)【要約】【課題】便座に便座カバーを取り付けた場合でも安定して着座を検知することができる便座装置の提供を目的とする。【解決手段】便座１３の下面に設けた一対の突起部１５と、突起部１５の一方に設けた発光素子１６と、突起部１５の他方に設けた受光素子１７とを備え、便座孔１８を横断して光軸１９を設けることにより、便座カバー２０を便座１３に取り付けた場合でも突起部１５が便座カバー２０より突出し、安定して着座を検知することができる。【選択図】  図１
2004267684.tif 000002
【特許請求の範囲】
【請求項１】
便器と、前記便器のリム面に載置する便座と、前記便座の下面に設けた一対の突起部と、前記突起部の一方に設けた発光素子と、前記突起部の他方に設けた受光素子とを備え、便座孔を横断して前記発光素子から前記受光素子への光軸を設けて前記便座への着座を検知する便座装置。
【請求項２】
便器と、前記便器のリム面に載置する便座と、前記便座の下面に設け前記リム面に当接する一対の脚部と、前記脚部の一方に設けた発光素子と、前記脚部の他方に設けた受光素子とを備え、便座孔を横断して前記発光素子から前記受光素子への光軸を設けて前記便座への着座を検知する便座装置。
【請求項３】
便器と、前記便器のリム面に載置する便座と、前記便座の下面に設け前記リム面に当接する一対の脚部と、前記脚部の便座孔側に対向して設けられた一対の突起部と、前記突起部の一方に設けた発光素子と、前記突起部の他方に設けた受光素子とを備え、便座孔を横断して前記発光素子から前記受光素子への光軸を設けて前記便座への着座を検知する便座装置。
【請求項４】
少なくとも突起部または脚部を赤外透過材により成形するとともに、薄肉部を構成し前記薄肉部の内側に発光素子及び受光素子を設けた請求項１〜３のいずれか１項に記載の便座装置。
【請求項５】
突起部は、赤外透過材で構成するとともに便座より突出させた請求項１または３に記載の便座装置。
【請求項６】
光軸は、リム面と便座の下面との間にある請求項１〜５のいずれか１項に記載の便座装置。
【発明の詳細な説明】
【０００１】
【発明の属する技術分野】
本発明は、着座検知機能を有する便座装置に関するものである。
【０００２】
【従来の技術】
従来、この種の便座装置は、透過式赤外投受光装置を内臓した構成であった（例えば、特許文献１参照）。
【０００３】
これは、図４に示すように、便座１に赤外投光装置２が取り付けられており、それに正対する位置に赤外受光装置３が取り付けられている。そして、赤外投光装置２、赤外受光装置３は、ともに便座１の内側側面の下向きの曲面部に設けられた筒状の穴の奥に設けられている。
【０００４】
【特許文献１】
特開２００１−３１７１０９号公報
【０００５】
【発明が解決しようとする課題】
しかしながら、前記従来の構成では、便座１にそれを包み込む形状の便座カバーを取り付けた場合、便座カバーで光軸が遮られることになり、透過式赤外投受光ができないものであった。周知の通り、便座カバーは便座１の肌触りを改善する等の目的で一般的に用いられるものであり、便座カバーを用いられない従来の便座構成は、使い勝手を極めて損なうものであった。
【０００６】
また、便座１に設けられた穴の奥に赤外投光装置２及び赤外受光装置３を設けるため、使っているうちに穴の開口部に埃等が付き投受光が遮られ、安定して着座を検知することができないという課題を有するものであった。
【０００７】
本発明は、上記従来の課題を解決するもので、便座に便座カバーを取り付けた場合でも安定して着座を検知することができる便座装置の提供を目的とする。
【０００８】
【課題を解決するための手段】
前記従来の課題を解決するために、本発明の便座装置は、便座の下面に設けた一対の突起部と、その突起部の一方に設けた発光素子と、他方に設けた受光素子とを備え、便座孔を横断して光軸を設けることにより便座への着座を検知するものである。
【０００９】
これにより、発光素子と受光素子が突起部によって突出しており、便座カバーを便座に取り付けた場合でも安定して着座を検知することができるものである。
【００１０】
【発明の実施の形態】
請求項１に記載の発明は、便器と、前記便器のリム面に載置する便座と、前記便座の下面に設けた一対の突起部と、前記突起部の一方に設けた発光素子と、前記突起部の他方に設けた受光素子とを備え、便座孔を横断して前記発光素子から前記受光素子への光軸を設けて前記便座への着座を検知する便座装置としたことにより、便座カバーを便座に取り付けた場合でも、発光素子と受光素子が突起部によって便座カバーより突出し、安定して着座を検知することができる。
【００１１】
請求項２に記載の発明は、便器と、前記便器のリム面に載置する便座と、前記便座の下面に設け前記リム面に当接する一対の脚部と、前記脚部の一方に設けた発光素子と、前記脚部の他方に設けた受光素子とを備え、便座孔を横断して前記発光素子から前記受光素子への光軸を設けて前記便座への着座を検知する便座装置としたことにより、便座カバーを便座に取り付けた場合でも、発光素子と受光素子が脚部によって便座カバーより突出し、安定して着座を検知することができる。
【００１２】
請求項３に記載の発明は、便器と、前記便器のリム面に載置する便座と、前記便座の下面に設け前記リム面に当接する一対の脚部と、前記脚部の便座孔側に対向して設けられた一対の突起部と、前記突起部の一方に設けた発光素子と、前記突起部の他方に設けた受光素子とを備え、便座孔を横断して前記発光素子から前記受光素子への光軸を設けて前記便座への着座を検知する便座装置としたことにより、便座カバーを便座に取り付けた場合でも、発光素子と受光素子が脚部に設けられた突起部によって便座カバーより突出し、安定して着座を検知することができる。
【００１３】
請求項４に記載の発明は、少なくとも突起部または脚部を赤外透過材により成形するとともに、薄肉部を構成し前記薄肉部の内側に発光素子及び受光素子を設けた請求項１〜３のいずれか１項に記載の便座装置としたことにより、突起部や脚部の外郭に凹部を設けることなく投受光することができ、突起部や脚部の投受光系に埃等が付きにくく、安定して着座を検知することができる。
【００１４】
請求項５に記載の発明は、突起部は、赤外透過材で構成するとともに便座より突出させた請求項１または３に記載の便座装置としたことにより、突起部の外郭に凹部を設けることなく投受光することができ、突起部の投受光系に埃等が付きにくく、安定して着座を検知することができる。
【００１５】
請求項６に記載の発明は、光軸は、リム面と便座の下面との間にある請求項１〜５のいずれか１項に記載の便座装置としたことにより、便器に突起部や脚部が当接しても光軸が遮られることがなく、かつ、人体の便座孔への落ち込みにより安定して着座を検知することができる。
【００１６】
【実施例】
以下、本発明の実施例について、図面を参照しながら説明する。
【００１７】
（実施例１）
図１は、本発明の実施例１における便座装置を示すものである。
【００１８】
図において、陶器製の便器１１の上面にはリム面１２を構成し、リム面１２に載置する合成樹脂製の便座１３は、その脚部１４がリム面１２に当接している。また、便座１３の下面には赤外透過材からなる一対の突起部１５が相対向して設けられ、一方の突起部１５の便座１３内には発光素子１６が、他方の突起部１５の便座１３内には受光素子１７が連接して設けられており、両突起部１５の突出端間には、便座孔１８を横断して発光素子１６から受光素子１７への光軸１９が設定されている。
【００１９】
さらに、便座１３の周りには便座カバー２０が設けられているが、突起部１５が便座１３の下面に突出してあるため、便座カバー２０より突起部１５が突出し、発光素子１６と受光素子１７の投受光を行う光軸１９を遮ることがない。
【００２０】
非着座時は発光素子１６が発した光を、突起部１５を介して受光素子１７が受光しているが、着座時は人体２１が便座孔１８に位置して光軸１９を遮ることにより光が届かなくなり、着座を判定することができる。
【００２１】
以上のように構成された便座装置において、便座カバー２０を便座１３に取り付けた場合でも、突起部１５が便座カバー２０より突出し、安定して着座を検知することができる。
【００２２】
また、突起部１５を赤外透過材で構成するとともに便座１３より突出させることにより、突起部１５の外郭に光を投受光するための穴等の凹部を設けることなく投受光することができ、突起部１５の投受光系に埃等が付きにくく、安定して着座を検知することができる。
【００２３】
（実施例２）
図２は、本発明の実施例２における便座装置を示すものである。
【００２４】
図において、オレフィン系合成樹脂などの赤外透過材により形成された便座１３の脚部１４が便器１１のリム面１２に当接している。また、相対向する脚部１４の便座孔１８側には薄肉部２２がそれぞれ設けられ、一方の薄肉部２２の内側には発光素子１６が、他方の薄肉部２２の内側には受光素子１７が連接して設けられており、便座孔１８を横断して発光素子１６から受光素子１７への光軸１９が設定されている。
【００２５】
さらに、便座１３の周りには便座カバー２０が設けられているが、脚部１４が便座１３の下面に突出してあるため、便座カバー２０より脚部１４が突出し、投受光を行う光軸１９を遮ることがない。
【００２６】
非着座時は発光素子１６が発した光を、薄肉部２２を介して受光素子１７が受光しているが、着座時は人体２１が便座孔１８に位置して光軸１９を遮ることにより光が届かなくなり、着座を判定することができる。
【００２７】
以上のように構成された便座装置において、便座カバー２０を便座１３に取り付けた場合でも、脚部１４が便座カバー２０より突出し、安定して着座を検知することができる。
【００２８】
また、便座１３をオレフィン系合成樹脂などの赤外透過しやすい赤外透過材により構成し、受発光窓として薄肉部２２を設けることにより、便座１３の外郭側に光を投受光するための穴等の凹部を設けることなく投受光することができ、投受光系に埃等が付きにくく、かつ、掃除がしやすく、安定して着座を検知することができる。
【００２９】
なお、本実施例において、便座１３から脚部１４を突出させ脚部１４に発光素子１６と受光素子１７を設ける構成としたが、便座１３に脚部１４とは別の突起部を一体的に形成し、この突起部の内側に薄肉部及び発光素子１６と受光素子１７を設ける構成の場合でも同じ作用効果を奏するものである。また、便座１３全体を赤外透過材で構成する必要はなく、少なくとも脚部１４または突起部が赤外透過材により構成されたものであればこと足りるものである。
【００３０】
（実施例３）
図３は、本発明の実施例３における便座装置を示すものである。
【００３１】
図において、便座１３の脚部１４が便器１１のリム面１２に当接し、脚部１４の便座孔１８側には赤外透過材からなる一対の突起部１５がそれぞれ設けられ、一方の突起部１５の便座１３内には発光素子１６が、他方の突起部１５の便座１３内には受光素子１７が連接して設けられており、便座孔１８を横断して発光素子１６から受光素子１７への光軸１９が設定されている。
【００３２】
さらに、便座１３の周りには便座カバー２０が設けられているが、脚部１４が便座１３の下面に突出してあるため、便座カバー２０より脚部１４が突出し、かつ、突起部１５が脚部１４より突出しているため、便座カバー２０で投受光を行う光軸１９を遮ることがない。
【００３３】
非着座時は発光素子１６が発した光を、突起部１５を介して受光素子１７が受光しているが、着座時は人体２１が便座孔１８に位置して光軸１９を遮ることにより光が届かなくなり、着座を判定することができる。
【００３４】
以上のように構成された便座装置において、便座カバー２０を便座１３に取り付けた場合でも、脚部１４が便座カバー２０より突出し、かつ、突起部１５が脚部１４より突出しているため、便座カバー２０が投受光系を覆うことがなく、安定して着座を検知することができる。
【００３５】
また、各実施例１〜３において、光軸１９をリム面１２と便座１３の下面との間に設けたことにより、便座カバー２０で光軸１９が遮られることがなく、かつ、人体２１の便座孔１８への少しの落ち込みにより確実に着座を検知することができる。
【００３６】
【発明の効果】
以上のように、本発明の便座装置によれば、発光素子と受光素子が便座カバーより突出しており、便座カバーを便座に取り付けた場合でも安定して着座を検知することができるものである。また、埃等の付着で投受光が遮られことがないものである。
【図面の簡単な説明】
【図１】本発明の実施例１における便座装置の横断面図
【図２】本発明の実施例２における便座装置の横断面図
【図３】本発明の実施例３における便座装置の横断面図
【図４】従来の便座装置の横断面図
【符号の説明】
１１  便器
１２  リム面
１３  便座
１４  脚部
１５  突起部
１６  発光素子
１７  受光素子
１８  便座孔
１９  光軸
【図１】
2004267684.tif 000003
【図２】
2004267684.tif 000004
【図３】
2004267684.tif 000005
【図４】
2004267684.tif 000006